【手続補正書】
【提出日】平成29年3月29日(2017.3.29)
【手続補正１】
【補正対象書類名】特許請求の範囲
【補正対象項目名】全文
【補正方法】変更
【補正の内容】
【特許請求の範囲】
【請求項１】
組織の組織酸素化を解明するために注入可能な光再放射プローブ（１１８，１５３）を検知するように構成された監視装置（１０１，１５５，２０１，３０１，４０１，４５０，５０１，６０５，７０１，１００１，１１０１，１２０１，１３３１，１３５１）であって、前記監視装置は、
前記注入可能な光再放射プローブを励起させるように構成されている少なくとも１つの光学エミッタ（１７３，１１２７）と、
前記プローブからの前記注入可能な再放射された光を受信するように構成された少なくとも１つの光学ディテクタ（１８５，１１２９）と、
前記受信された光（１８１）の時間応答を分析することによって前記組織の少なくとも１つのポイントの前記組織酸素化を解明するように構成されている信号プロセッサ（１８９，４３０，４７０）と、
前記組織の温度を検出するように構成されているセンサー（４４５）と
を備え、
前記信号プロセッサ（１８９，４７０）は、前記組織酸素化を校正するために前記組織の前記検出された温度を利用するように構成されている、監視装置。
【請求項２】
標的組織（９５４）に媒体（１６５，９５０）を提供するように構成されたアプリケータ（１５７，９５６）をさらに備え、前記媒体は、前記注入可能な光再放射プローブを含む、請求項１に記載の監視装置。
【請求項３】
前記信号プロセッサ（１８９，４３０，４７０，７０５）は、前記再放射された光の寿命に基づいて前記組織酸素化を解明するように構成されている、請求項１および２のうちのいずれかに記載の監視装置。
【請求項４】
前記アプリケータ（４７４）は、前記媒体（１６５）を前記標的組織（１５１）中に注入するように構成されている少なくとも１つのインジェクタ（１６７，４７８，５１１，８０９，１１４９）である、請求項２に記載の監視装置。
【請求項５】
前記組織（２０３，１００７，１３１５）を調査するように構成されているインテロゲータ装置（２０１，３０１，１００１，１１０１，１３３１）をさらに備える、請求項１〜４のうちのいずれかに記載の監視装置。
【請求項６】
前記信号プロセッサ（１８９，４３０，４７０）は、前記組織酸素化の解明に基づいて動作成功の決定を行う、請求項１〜５のうちのいずれかに記載の監視装置。
【請求項７】
前記組織の圧縮圧力および組織張力のうちの少なくとも１つの相互作用力を監視するように構成された少なくとも１つのセンサー（１１３，４４４，４６４，１１１７）をさらに備える、請求項１〜６のうちのいずれかに記載の監視装置。
【請求項８】
組織インターフェースする表面を有するフレキシブルなサブストレート（６０５，７０１）をさらに備え、前記組織インターフェースする表面は、前記少なくとも１つの光学エミッタと、前記少なくとも１つの光学ディテクタ（７０５）とを含む、請求項１〜７のうちのいずれかに記載の監視装置。
【請求項９】
前記信号プロセッサは、複数のポイント（１１０，１１２，４０５，５１３，７０５，１１２７，１１２９，１３３１，１３５１）における前記再放射された光の前記分析された時間応答に基づいて前記組織酸素化を解明して、酸素マップを生成するように構成されている、請求項１〜８のうちのいずれかに記載の監視装置。
【請求項１０】
前記監視装置は、内視鏡装置（５０１，１３３１）である、請求項１〜９のうちのいずれかに記載の監視装置。
【請求項１１】
前記監視装置は、摂取可能である、請求項１〜９のうちのいずれかに記載の監視装置。
【請求項１２】
前記監視装置は、外科用装置（１０１，１５５，２０１，３０１，４０１，４５０，５０１，６０５，１００１，１１０１，１２０１，１３３１）である、請求項１〜９のうちのいずれかに記載の監視装置。
【請求項１３】
前記監視装置は、外科用ステイプラーアンビル（４０１，４５０）である、請求項１〜９、および１２のうちのいずれかに記載の監視装置。
【請求項１４】
前記少なくとも１つの光学エミッタ（１７３）は、前記光再放射プローブの吸収帯内において前記注入可能な光再放射プローブを励起させるように構成されている、請求項１〜１３のうちのいずれかに記載の監視装置。
【請求項１５】
前記信号プロセッサ（１８９，４７０）は、前記受信された光の酸素依存性光学応答に基づいて前記組織酸素化を解明するように構成されている、請求項１〜１４のうちのいずれかに記載の監視装置。
【請求項１６】
前記監視装置は、解明された組織データを外部に通信するように構成され、前記監視装置は、
ディスプレイ（１２７）および感覚代行のうちの少なくとも１つと、
前記ディスプレイ（１２７）および感覚代行のうちの前記少なくとも１つと通信するように構成された外部インターフェース（１２５）と
さらに備え、
前記信号プロセッサ（１８９，４７０）は、前記ディスプレイおよび感覚代行のうちの前記少なくとも１つに、解明された校正された酸素測定を通信するようにさらに構成されている、請求項１〜１５のうちのいずれかに記載の監視装置。
【手続補正２】
【補正対象書類名】明細書
【補正対象項目名】００５５
【補正方法】変更
【補正の内容】
【００５５】
本発明の追加機能、長所、および実施態様は以下の詳細説明、図面および請求項を考慮すれば明記されており、明らかである。さらに、本発明に関する前述の要約および以下の詳細説明は例示であり、請求項に記載の発明の範囲を制限することなく詳細な説明を提供するように意図されていることの理解が必要である。
本願明細書は、例えば、以下の項目も提供する。
（項目１）
組織酸素化の測定のために再発光プローブを検知するように構成された外科用装置は、
再発光プローブの吸収帯内で再発光プローブを励起するように構成された最低１つの光エミッタ、
プローブから再発光される光を受信するように構成された最低１つの光ディテクタ、および
受信した光に基づいて組織酸素化の測定ために構成された信号プロセッサで構成される。
（項目２）
項目１に記載の外科用装置は、更に再発光プローブを含む媒体を標的組織に提供するように構成されたアプリケータで構成される。
（項目３）
項目１に記載の外科用装置では、信号プロセッサが再発光プローブの寿命に基づいて組織酸素化の測定のために構成される。
（項目４）
項目１に記載の外科用装置は、外科用ステイプラーのアンビルである。
（項目５）
項目２に記載の外科用装置では、アプリケータは媒体を標的組織に注入するように構成された最低１つのインジェクタである。
（項目６）
項目１に記載の外科用装置は、更に組織を測定するように構成されたインテロゲータで構成される。
（項目７）
項目１に記載の外科用装置は、表面とインターフェースする組織を有するフレキシブルなサブストレートである。
（項目８）
項目１に記載の外科用装置では、信号プロセッサが組織酸素化の測定に基づいて運用の成否を決定する。
（項目９）
項目１に記載の外科用装置は、更に組織の温度を検出するように構成された温度センサーで構成される。
（項目１０）
項目１に記載の外科用装置は、更に圧縮圧および組織間緊張組織の最低１つの相互作用力を監視するように構成された最低１つのセンサーで構成される。
（項目１１）
項目１に記載の外科用装置では、プローブは多重吸収波長を有するリン光性プローブである。
（項目１２）
項目１に記載の外科用装置は、基地局に通信可能に接続される。
（項目１３）
組織酸素化の測定のために再発光プローブを検知するように構成された外科用ステイプラーのアンビル構成は、
再発光プローブを励起するように構成された最低１つの光エミッタ、
プローブから再発光される光を受信するように構成された最低１つの光ディテクタ、および
受信した光に基づいて組織酸素化の測定ために構成された信号プロセッサで構成される。
（項目１４）
項目１３に記載の外科用ステイプラーのアンビルは、基地局に通信可能に接続される。
（項目１５）
項目１３に記載の外科用ステイプラーのアンビルでは、信号プロセッサが組織酸素化の測定に基づいて運用の成否を決定する。
（項目１６）
項目１３に記載の外科用ステイプラーのアンビルは、更に組織の温度を検出するように構成された温度センサーで構成される。
（項目１７）
項目１３に記載の外科用ステイプラーのアンビルは、更に圧縮圧および組織間緊張組織の最低１つの相互作用力を監視するように構成された最低１つのセンサーで構成される。
（項目１８）
組織酸素化の測定のために再発光プローブを検知するように構成された監視装置は、
表面とインターフェースする組織を有するフレキシブルなサブストレート、表面とインターフェースする組織（（１）再発光プローブを励起するように構成された最低１つの光エミッタ、および（２）プローブから再発光される光を受信するように構成された最低１つの光ディテクタ、および
受信した光に基づいて組織酸素化の測定ために構成された信号プロセッサを含む）で構成される。
（項目１９）
項目１８に記載の監視装置は媒体を標的組織に注入するように構成された最低１つのインジェクタ、再発光プローブを含む媒体で構成される。
（項目２０）
項目１８に記載の監視装置は、基地局に通信可能に接続される。
（項目２１）
項目１８に記載の監視装置では、信号プロセッサが組織酸素化の測定に基づいて運用の成否を決定する。
（項目２２）
項目１８に記載の監視装置は、更に組織の温度を検出するように構成された温度センサーで構成される。
（項目２３）
項目１８に記載の監視装置では、フレキシブルなサブストレートが（１）皮膚に貼り付け（２）内部組織に貼り付けの１つ以上で構成される。
（項目２４）
項目１８に記載の監視装置は、少なくとも部分的に生体吸収性がある。
（項目２５）
再発光プローブを含む組織酸素化をマッピングするように構成された監視装置は、
再発光プローブを励起するように構成された最低１つの光エミッタ、
プローブから再発光される光を受信するように構成された最低１つの光ディテクタ、および
酸素マップを生成するために多点で組織酸素化の測定ために構成された信号プロセッサで構成される。
（項目２６）
項目２５に記載の監視装置は媒体を標的組織に注入するように構成された最低１つのインジェクタ、再発光プローブを含む媒体で構成される。
（項目２７）
項目２５に記載の監視装置は、更に組織の温度を検出するように構成された温度センサーで構成される。
（項目２８）
項目２５に記載の監視装置では、光ディテクタはＣＣＤアレイの最低１つ、ＣＭＯＳ画像センサーおよび１台のカメラで構成される。
（項目２９）
項目２５に記載の監視装置は、内視鏡装置である。
（項目３０）
項目２５に記載の監視装置は、摂取可能である。